(57)【要約】【解決手段】  自動車の燃焼エンジンの液圧ポンプ、および特に潤滑オイルポンプのために、圧力調節装置が提案され、この圧力調節装置は、オイル圧力需要に依存して、制御された力の負荷装置を有する調節ピストンの使用によって、可変の圧力調節領域内において作動する。回転数に依存したオイル圧力調節によって、吐出量調節装置を有するオイルポンプの場合、特記すべき利点が、オイルポンプ駆動出力内において達せられ、従って、対応する燃焼エンジンの燃料消費量が相応して低減される。この目的のために、吐出量調節装置を制御するための調節ピストン並びに調節ばね、および、この調節ピストンのための制御装置が設けられている。調節ピストン１４、５１、８０は、永続的に作用するオイル圧力のための作用面１５、５３、９０を有しており、且つ、制御装置２３、２９、５６、７１によって、付加力でもって負荷可能である。
2005526204.tif 000002
【特許請求の範囲】
【請求項１】
燃焼エンジンの潤滑オイル供給のための吐出量調節装置、
この吐出量調節装置を制御するための調節ピストン並びに調節ばね、および、
この調節ピストンのための制御装置を有する、
液圧ポンプ、特にオイルポンプの圧力調節のための装置において、
調節ピストン（１４、５１、８０）が永続的に作用するオイル圧力のための作用面（１５、５３、９０）を有しており、且つ、制御装置（２３、２９、５６、７１、１０２）によって、更に、付加力でもって負荷可能であるように構成されていることを特徴とする装置。
【請求項２】
制御装置の形成に関して、以下の特徴、
ａ）調節ピストン（１４、８０）の制御装置が、調節ピストン（１４、８０）に対して作用するアーマチュア（２４）を有するマグネットコイル（２３）でもって形成されている；
ｂ）調節ピストン（１４、８０）の制御装置が、調節ばね（１７）のばね当接部（３０）を位置調節するためのステップモータ（２９）でもって形成されている；
ｃ）制御装置が、切替ピストン（５６）および切替ピストンばね（５７）を有する回転数に依存する遠心力弁でもって形成されている；
ｄ）制御装置が、電磁弁（７１、１０２）でもって形成されている；
ｅ）制御装置（２３、２９、７１、１０２）が、
この制御装置が、電気的なシステム故障の場合に、オイル圧力を、自動的に最も高い調節圧力段へと上昇させるように形成されている；
ｆ）制御装置が、螺旋状の溝部（７３）でもって形成されている；
の内の少なくとも１つの特徴が設けられていることを特徴とする請求項１に記載の液圧ポンプの圧力調節のための装置。
【請求項３】
調節ピストン（１４、８０）の形成に関して、以下の特徴、
ａ）調節ピストンが、制御装置（５６、７１、７３、１０２）を介して、オイル圧力でもって負荷可能、または圧力除荷可能である、第２の作用面（５４）を有する段ピストン（５１）として形成されている；
ｂ）段付けされた調節ピストンが、多段式に形成されており、且つ、適当に多段式に形成された制御装置によって、オイル圧力でもって負荷可能であるように構成されている；
の内の少なくとも１つの特徴が設けられていることを特徴とする請求項１または２に記載の液圧ポンプの圧力調節のための装置。
【請求項４】
切替ピストン（５６）は、この切替ピストンの軸線でもって、半径方向の遠心力方向に対して角度ずれを有していることを特徴とする請求項１から３のいずれか一つに記載の液圧ポンプの圧力調節のための装置。
【請求項５】
切替ピストン（５６）、並びに切替ピストンばね（５７）は、吐出歯車（５５）の内部に、１つの吐出歯内への部分的な入り込みでもって配設されていることを特徴とする請求項１から４のいずれか一つに記載の液圧ポンプの圧力調節のための装置。
【請求項６】
切替ピストン（５６）は、案内ピン（５９）を切替ピストンばね（５７）の半径方向案内のために有していることを特徴とする請求項１から５のいずれか一つに記載の液圧ポンプの圧力調節のための装置。
【請求項７】
調節ピストン（１４、５１、８０）の作用面（１５、５３、５４、９０）を圧力負荷するためのオイル圧力は、オイルフィルター（２５、８９）の後ろで分岐されるように構成されていることを特徴とする請求項１から６のいずれか一つに記載の液圧ポンプの圧力調節のための装置。
【請求項８】
オイルポンプ調節装置（２３、２９、７１、８２、１０２）の電気的な構成要素は、オイルチャンバーの外側に配設されており、且つ、液圧的な、導管（８７。９１）を介して、オイルポンプ（７８、８６、１０３）と結合状態にあることを特徴とする請求項１から７のいずれか一つに記載の液圧ポンプの圧力調節のための装置。
【請求項９】
調節ピストン（１４、８０）は、ステップモータ（２９）、もしくは、マグネットコイル（２３）及び／または電磁弁（１０２）と共に、共通のハウジング（８１、１０１）内において、調節ユニット（８２、１００）へとまとめられていることを特徴とする請求項１から８のいずれか一つに記載の液圧ポンプの圧力調節のための装置。
【発明の詳細な説明】
【技術分野】
【０００１】
本発明は、燃焼エンジンの潤滑オイル供給のための吐出量調節装置、
この吐出量調節装置を制御するための調節ピストン並びに調節ばね、および、
この調節ピストンのための制御装置を有する、
液圧ポンプ、特にオイルポンプの圧力調節のための装置に関する。
この様式の調節装置は、液圧ポンプ、および特にオイルポンプの吐出出力を、例えばオイル圧力およびオイル量に関して燃焼エンジンの潤滑システムの交番する需要に適合させることの課題を有している。このことによって、不必要に高いオイル圧力が回避され、並びに、潤滑オイルポンプの駆動出力が、この燃焼エンジンの良好な効率を顧慮して低く保持される。
【背景技術】
【０００２】
吐出量調節装置を有する公知のオイルポンプ  −これらオイルポンプの場合、オイル吐出量が、オイルポンプ構成に相応して、供給すべき燃焼エンジンの需要に適合する−  は、バイパス調節装置を有するオイルポンプよりも、より僅かなオイルポンプ駆動出力を有している。これら吐出量は、基本的に、オイル圧力によって調節され、その際、特に、比較的に高いエンジン回転数、並びに僅かの作動温度の場合、適当な吐出量調節が行われる。
【０００３】
吐出量調節装置を有する簡単なオイルポンプ仕様の場合、オイル圧力は、直接的に、調節ばねによって設定される。この実施形態は、しかしながら、ばね構成が、燃焼エンジンのエンジン最高回転数における最大のオイル圧力需要に相応して行われねばならず、このことが、その場合に相応して高い駆動出力を有する不必要に高いオイル圧力を、下方の回転数領域内において結果として招く、という欠点を有している。例えば、ドイツ連邦共和国特許第３０２８５７３号明細書（特許文献１）、およびドイツ連邦共和国特許第３５２８６５１号明細書（特許文献２）において提案されているような、専ら１つの調節ばねだけによる吐出量調節は、更に、この調節ばねの増大するストロークと共に、この調節ばねの上昇するばね力によって、付加的なオイル圧力上昇を誘起し、従って、吐出量低減によって達成しようとされている駆動出力の利点が、不必要なオイル圧力増大の結果として、少なくとも部分的に再び補償される。
【０００４】
ドイツ連邦共和国特許公開第１００４３８４２号明細書（特許文献３）において提案された、軸線方向の歯車摺動装置を有する外側歯車オイルポンプは、更に、吐出量調節における不所望のオイル圧力増大を、このオイル圧力レベルを安定化作用を行う絞り調節装置によって回避する。この外側歯車オイルポンプのオイル圧力は、調節作動の場合に、しかしながら、ほんの少しだけの、調節に起因して永続的な、両方の吐出歯車の軸線方向の、噛み合いの重なり合いの変化によって脈動する。軸線方向の歯車摺動に対して反対に作用する摩擦力は、この効果を増幅する。特に低いエンジン回転数における比較的に僅かなオイル圧力需要に相応する、吐出量およびオイル圧力の更に別の最小限化のために、この絞り調節装置は、付加的に、電気的な制御構成要素を必要とする。
【０００５】
ドイツ連邦共和国特許公開第１９９１５７３７号明細書（特許文献４）において、燃焼エンジンの潤滑を調節するための方法が記載されており、この方法の場合、オイルポンプの調節が、この燃焼エンジンの作動状態に依存して、特性マップを介して制御され、その際、特性量が、エンジン制御機器から取り出される。このオイルポンプの詳細には説明されていない調節部材は、この電気的な制御を、このオイルポンプの吐出出力の変化に変換する。
【０００６】
ドイツ連邦共和国特許第７５３５８０号明細書（特許文献５）は、回転数可変の吐出量を有するオイルポンプを記載しており、このオイルポンプの場合、噴射ポンプの遠心力制御器が、機械的な連結部を介して、このオイルポンプの吐出量を変化させる。調節可能なオイルポンプの他の実施形態は、ドイツ連邦共和国特許公開第３７２６８００号明細書（特許文献６）、および米国特許第４，８２８，４６２号明細書（特許文献７）において見出される。
【特許文献１】ドイツ連邦共和国特許第３０２８５７３号明細書
【特許文献２】ドイツ連邦共和国特許第３５２８６５１号明細書
【特許文献３】ドイツ連邦共和国特許公開第１００４３８４２号明細書
【特許文献４】ドイツ連邦共和国特許公開第１９９１５７３７号明細書
【特許文献５】ドイツ連邦共和国特許第７５３５８０号明細書
【特許文献６】ドイツ連邦共和国特許公開第３７２６８００号明細書
【特許文献７】米国特許第４，８２８，４６２号明細書
【発明の開示】
【発明が解決しようとする課題】
【０００７】
この公知技術を出発点として、本発明の根底をなす課題は、例えば燃焼エンジンの作動回転数の予め与えられた作動値に依存して、より信頼性のある状態で、オイル圧力並びにオイル吐出量を、十分に、液圧的な供給需要に相応して最低限化させ、および従って、このオイルポンプの駆動出力を降下させる、吐出量調節装置を有するオイルポンプのための調節装置を提供することである。
【課題を解決するための手段】
【０００８】
この課題を解決するために、冒頭に記載した様式の特徴を有する液圧ポンプの圧力調節のための装置が提案され、この装置は、調節ピストンが永続的に作用するオイル圧力のための作用面を有しており、且つ、制御装置によって、更に、付加力でもって負荷可能であることによって特徴付けられる。このことは、オイル圧力が、少なくとも、２つの調節圧力段において調節されることを生じさせる。この目的で、制御装置によって、可変の力でもって負荷可能な調節ピストンは、吐出量調節装置の対応する調節を行う。
【発明の効果】
【０００９】
次に、図に基づいて、本発明を、機能および実施形の可能性に関して詳しく説明する。
【発明を実施するための最良の形態】
【００１０】
図１は、吐出量調節装置を有する外側歯車オイルポンプのための、本発明による圧力制御装置の第１の実施例を示している。その際、このオイルポンプは、オイルポンプハウジング１から成り、このオイルポンプハウジング内において、駆動軸２に固定された駆動歯車３が配設されている。この駆動軸２は、閉鎖蓋４に所属する蓋プランジャ５内において軸受けされている。吐出量調節の際に、公知の方法で、この駆動歯車３に対して相対的に、この駆動歯車と噛み合い係合の状態にある摺動歯車６が軸線方向に摺動され、従ってその場合に、変化された歯車噛み合い幅によって、オイル吐出量は適当に変化される。
【００１１】
摺動歯車６は、非回転状態のピン７に軸受けされており、このピンが、右側で摺動ピストン８を、および、左側でばねピストン９を支持している。この形成された結合体は、摺動ユニット１０として表示されている。この摺動ユニット１０は、この摺動ユニットの摺動ピストン８において、永続的にオイル圧力でもって負荷されており、これに対して、これに加えて反対方向に作用する状態で、ばねピストン９において、ピストンばね１１、並びに、ばね室１２内において作用状態の調節可能な制御圧力が、吐出量調節を行う。
【００１２】
ばね室１２内において作用する制御圧力の調節は、制御穿孔１３を介して、調節ピストン１４によって行われ、この調節ピストンが、この調節ピストンの作用面１５において、結合部１６を介して永続的に、オイル圧力でもって負荷されている。この負荷に対する対抗力として、左側で、調節ばね１７が、この調節ピストン１４に対して作用している。図示されたこの調節ピストン１４の調節位置において、この調節ピストンの調節プラグ１８が、直接的に、この制御穿孔１３に対して相対して位置している状態にある。この調節プラグ１８は、左側で加圧用溝部１９によって、および、右側で放圧用溝部２０によって境界されている。
【００１３】
調節プラグ１８が、ほんの少しだけ、制御穿孔１３の直径よりもより幅狭なので、ばね室１２内における図示された調節位置において、更に別の結合部２１を介して加圧用溝部１９内において作用するオイル圧力と、放圧用溝部２０を介して供給可能な完全な圧力除荷との間の状態に存在する制御圧力は調節される。調節ピストン１４内における対角線状の穿孔２２を介して、この放圧用溝部２０は、周囲環境と結合状態にある。
【００１４】
作用面１５に作用するオイル圧力が、所属する燃焼エンジンの、例えば５ｂａｒの最大必要な作動オイル圧力の高さを超過するやいなや、調節ばね１７の力に抗して、調節ピストン１４の摺動が、ばね室１２内における制御圧力を低減するように行われる。このことによって、摺動ユニット１０は、吐出量低減の目的のために、オイル圧力が、例えば５ｂａｒの目標値に到達するまで左側へと摺動される。５ｂａｒの目標オイル圧力の下回りは、反対に、調節ばね１７によっての右側への調節ピストン１４の摺動を誘起し、このことは、ばね室１２内における制御圧力の増大によって、吐出量の相応する増大を、このことから結果として生じるオイル圧力増大でもって引き起こす。
【００１５】
本発明によるオイル圧力の降下のために必要な、調節ピストン１４の制御装置は、マグネットコイル２３から成っており、このマグネットコイルが、適当な制御において、燃焼エンジンの制御機器によって、このマグネットコイルのアーマチュア２４を介して、磁気的な付加力を調節ピストン１４に及ぼす。この磁気的な付加力の変更は、この制御機器によって連続的または段階的に必要に応じて行われ、このことが、オイル圧力、およびオイルポンプの吐出量の調節に、相応して影響を及ぼす。
【００１６】
摺動ピストン８および調節ピストン１４へと、オイルフィルター２５の後ろにおいて分岐した、第１の液圧的な結合部１６、２１、および２６は、２つの利点を有している。
一方では、オイルポンプの圧力調節によって、オイル圧力は、このオイルフィルター２５の後ろにおいて、目標圧力レベルに調節され、従って、汚染に起因して変動するオイルフィルター２５の圧力損失に依存せずに、燃焼エンジンの潤滑のための、信頼できるオイル圧力が保証される。他方では、調節装置の全ての部材、並びに、オイルポンプの全ての軸受部位、例えば摺動室２８からオイル用穿孔２７を介して蓋ピストン５内における駆動軸２の軸受部は、ろ過されたオイルを供給され、従って、オイルポンプの作動信頼性、並びに耐用期間が増大される。
【００１７】
図２は、連続的に可変のオイル圧力調節装置を有する本発明の更に別の実施例を示している。本発明によるオイル圧力降下のために、ここで、図１のマグネットコイル２３の代わりに、ここで断面されずに図示された調節ピストン１４の、調節ばね１７のための調節可能なばね当接部３０を有するステップモータ２９が使用されている。自動的にステップモータ２９の電気的な制御無しに調節される調節ばね１７のばね当接部３０の基本位置によって、即ち調節ばね１７のこれに相応する予負荷によって、最大に必要な、例えば５ｂａｒの作動オイル圧力が保障されている。適当にプログラムされた燃焼エンジンの制御機器によって、このオイル圧力は、降下、または特別の用途において、同様に更に増大される。
【００１８】
図３は、外側歯車オイルポンプの例における、本発明によるオイル圧力および吐出量調節装置の有利な実施例を示しており、このオイル圧力および吐出量調節装置の場合、調節ピストンの制御装置が、専ら、遠心力に依存して、２つの回転数に関連付けられた調節圧力段状態において行われる。ここで、段ピストン５１として形成された調節ピストンは、図１もしくは２の調節ピストン１４から導出される。この調節ピストンは、左側に調節ばね５２、および右側に第１の作用面５３を有しており、この第１の作用面が、永続的に、オイル圧力でもって負荷されている。段ピストン５１の右側での第２の作用面５４は、低い燃焼エンジンの作動回転数において、同様に、オイル圧力でもって負荷されており、従って、両方の作用面５３、５４、および適当に構成された調節ばね５２に対するオイル圧力作用によって、オイル圧力調節は、第１の調節圧力段の例えば２．５ｂａｒにおいて行われる。第２の調節圧力段の例えば５ｂａｒのオイル圧力レベルに対しての、高い回転数の場合にエンジンに条件付けられて必要なオイル圧力高さは、この段ピストン５１の適当な調節機能のために、この第２の作用面５４の完全な圧力除荷を必要とする。この段ピストン５１の第２の作用面５４のオイル圧力負荷、もしくは圧力除荷による、これら両方の調節圧力段の間の切替えのための制御装置は、この実施例において、駆動歯車５５内において設けられている、回転数に依存して作用する遠心力弁から成っている。
【００１９】
図３に所属する図４は、コンパクトな遠心力弁を示している。この遠心力弁は、切替ピストン５６、および切替ピストンばね５７から成っている。この切替ピストン５６は、空間的な理由から、半径方向の遠心力方向に対して傾斜して整向されており、しかしながら、ある状況において、同様に半径方向にも整向されており、即ち、この切替ピストンの整向状態は、少なくとも半径方向の成分を有していなければならない。切替ピストン５６および切替ピストンばね５７の段付けされた収容穿孔部は、スペースの理由から、部分的に、しかもその上、駆動歯車５５の１つの歯の中に挿入されている。この弛緩された切替ピストンばね５７を有する切替ピストン５６の図示された位置は、僅かな遠心力作用における低い作動回転数に相応している。この切替ピストン５６に設けられている案内ピン５９は、この切替ピストンばね５７の半径方向の案内を保障し、且つ、この切替ピストンばねの遠心力に起因する撓みを防止する。
【００２０】
オイル用穿孔２７、および蓋ピストン５の所属する周囲面取り部を介して、切替ピストン５６に作用するオイル圧力は、この切替ピストンの中央穿孔６０を介して、同様に永続的に、切替ピストンばね５７の室内においても作用している。低い作動回転数の場合、このオイル圧力は、図４において示されたこの切替ピストン５６の位置の結果として、駆動歯車５５の傾斜穿孔６１を介して、および、オイルポンプハウジング６３の結合穿孔６２を介して、段ピストン５１の第２の作用面５４へと、このことによって第１の調節圧力段を例えば２．５ｂａｒのオイル圧力でもって作動するために導かれる。
【００２１】
第２の調節圧力段を作動するための切替回転数、例えば２５００／ｍｉｎを超過した後、切替ピストン５６は、遠心力に起因して、切替ピストンばね５７に抗して、この切替ピストンの外側の終端位置へと摺動する。このことによって、５ｂａｒの第２の調節圧力段へのオイル圧力上昇のために、段ピストン５１は、傾斜穿孔６１、および切替ピストン５６の外周溝部６４、並びに更に別の断面を介して、右側の端部において開いている駆動軸５８の中央穿孔６５に対する結合が形成されるというやり方で、この段ピストンの第２の作用面５４において圧力除荷される。
【００２２】
図３に準拠した状態で、図５が１つの実施例を示しており、この実施例の場合、段ピストン５１は、この段ピストンの第２の作用面５４において、２つの更に別の、図５内において図示された独立の制御装置を介して、オイル圧力でもって負荷可能である。これら両方の制御装置は、図５において図示されているように、互いに組み合わせ状態において機能状態になると同様に、それぞれに自体で、他方の制御装置が設けられなくて済む場合にも作動可能である。
【００２３】
第１の制御装置は、駆動軸７４の上に螺旋状の溝部７３を有しており、この螺旋状の溝部が、両側で、外周溝部７５および７６によって境界されている。この螺旋状の溝部は、比較的に僅かな溝深さを有しており、且つ、この駆動軸７４が回転した際に、生じたオイルせん断力によって、この駆動軸の長さにわたって、回転数に依存した圧力差を形成する。この左側の外周溝部７５は、オイル用穿孔２７を介して、オイル圧力でもって負荷されている。この螺旋状の溝部７３の傾斜方向は、ここで、この駆動軸７４が回転した際に、この螺旋状の溝部７３内において作用する圧力差が、右側の外周溝部７６内における圧力消滅を誘起するように選択されている。外周溝部７６内における回転数可変の圧力は、この駆動軸７４の長手方向穿孔を介して、および、ハウジング７８内において設けられている結合穿孔７９を介して、段ピストン５１の第２の作用面５４へと導かれている。
【００２４】
極めて高い回転数において、外周溝部７５内において作用する、例えば５ｂａｒのオイル圧力は、螺旋状の溝部７３によって形成された、相対的に高い圧力差によって、外周溝部７６内においてほとんど０ｂａｒほどまでに低減され、従って、段ピストン５１の第２の作用面５４が、オイル圧力の所望の圧力調節のために、５ｂａｒにおいて効果的に圧力除荷されている。回転数の低下と共に、この螺旋状の溝部７３における圧力差は、連続的に低下し、従って、この段ピストン５１の第２の作用面５４における圧力が相応して上昇し、且つ、オイル圧力調節が、回転数に依存して可変の圧力レベルにおいて行われる。
【００２５】
第２の、単独で、または、第１の制御装置との協働で組み込み可能な、段ピストン５１のための制御装置は、電磁弁７１から成り、この電磁弁７１が、オイルポンプのオイル圧力降下のために電気的に作動した際に、この段ピストンの第２の作用面５４に対するオイル圧力を切り替える。従って、両方の作用面５３および５４は、オイル圧力負荷されており、従って、この段ピストン５１が、既に、例えば２．５ｂａｒの、第１の調節圧力段のオイル圧力において、調節ばね５２の力に抗して、この段ピストンの調節機能を行い、且つ、適当な制御圧力を吐出量調節のために準備する。
【００２６】
通電していない電磁弁７１において、オイル圧力供給は遮断され、且つ、この電磁弁７１における放圧接続用パイプ７２を介して、第２の作用面５４の圧力除荷、または圧力負荷が誘起される。ここで、もはや段ピストン５１の第１の作用面５３に作用するにすぎないオイル圧力は、調節開始時を、その場合に、第２の調節圧力段のより高い値、例えば５ｂａｒへと移動させる。この第２の調節圧力段は、この電磁弁７１の電気的な接続の故障に起因した遮断の場合、燃焼エンジンの、全ての作動諸要件のための安全保護オイル圧力として保証されている。
【００２７】
図５に示された、両方の制御装置の例示的な組み合わせ機能状態において、暖機状態の燃焼エンジンの場合、螺旋状の溝部７３を通って、連続的に回転数可変のオイル圧力調節が実施され、その際、電磁弁７１は、しかしながらその場合に、付加的機能によって、この電磁弁の、段ピストン５１との結合を閉鎖された状態で保持されねばならない。冷間作動の場合、および、その場合に粘性液状のオイルであるという理由で効果的に利用可能でない螺旋状の溝部７３の作用の場合に、その場合に、この電磁弁７１は、機能状態になる。この段ピストン５１の第２の作用面５４の圧力負荷もしくは圧力除荷による、この電磁弁の２段式のオイル圧力調節は、その場合に、公知の方法で行われる。
【００２８】
原理的に、段ピストン５１でもって行われるオイル圧力の調節は、同様に多段式にも、適当に形成された段ピストンでもって実施可能である。この場合、それに加えて、この段ピストンの部分作用面は、例えば、回転数がずらされた状態で、多段式に形成された制御装置によって、オイル圧力でもって負荷されるべきである。
【００２９】
燃焼エンジンのオイル圧力調節のために、電気的な構成要素を使用する場合、オイルポンプを収容するクランク室の外側での電子部材の配設は有利である。一方では、このことによって、温度に敏感な及び／またはオイルに敏感な電子部材の負荷が低減されるのに対して、他方では、このクランク室に対する電気的な結合も行う必要がなく、その際、例えば修理目的のための、電子部材に対する外側からの取り扱い可能性は改善される。図５内において示された電磁弁７１は、例えば、外側で、クランクケーシングに装着されている。段ピストン５１の第２の作用面５４の電気的に切替可能なオイル圧力負荷は、その場合に、クランクケーシングにおける、オイルポンプ固定部のフランジ面を貫く、オイル用穿孔を介して行われる。図１、または２に相応する、調節ピストン１４に対する、付加力の電気的に形成された作用において、しかしながら、マグネットコイル２３、もしくはステップモータ２９のクランク室外部の配設は、同様に調節ピストン１４の一緒の移動をも必要とする。
【００３０】
図６内における実施例は、図２に対して選択的に、１つの配設を示しており、この配設の場合、ステップモータ２９が、調節ピストン８０と共に、共通のハウジング８１内において、調節ユニット８２へとまとめられている。外側で、クランクケーシング８４に装着されたこの調節ユニット８２は、ここで、問題の無い電気接続部８３によって、並びに、オイルポンプ８６のばね室１２へのフランジ面８５を貫通する制御穿孔８７を介して、作動の信頼できるオイルポンプ圧力調節を保証する。
【００３１】
作動信頼性の更なる向上のために、調節ユニット８２は、隣接するクランクケーシング主オイル穿孔８８から、オイルフィルター８９内において浄化されたプレッシャオイルを供給される。このプレッシャオイルは、永続的に調節に関連して、この調節ユニット８２の相応する結合断面を介して、端面側で、調節ピストン８０の作用面９０に対して、並びに、導管９１を介して、オイルポンプ８６の摺動室２８内において作用している。この調節ピストン８０のばね側の、必要な圧力除荷、並びに、吐出量調節の際のばね室１２からのオイルの導出は、この調節ユニット８２の相応する結合断面を介して、クランクケーシング８４の室内へと開いている放圧通路９２内へと行われる。
【００３２】
図７において、２つの調節段において作動する、電気的に制御された調節ユニット１００が、クランクケーシングにおける配設状態でもって図示されている。この調節ユニットは、既に図５に基づいて説明された段ピストン５１、所属するハウジング１０１、並びに、電磁弁１０２から成っている。図６による実施形態においてのように、同様にこの２段式の圧力調節の場合も、オイルポンプ１０３は、わずかに結合された制御穿孔８７だけを介して圧力調節される。このことによって、並びに、吐出オイル圧力（図６から導管９１が取り去られている）でもっての、摺動室２８のオイルポンプ内部の圧力負荷によって、オイルポンプの有利な簡略化は、同様に２段式の圧力調節の場合にも可能となる。電磁弁１０２の電気的な制御無しに、段ピストン５１の第２の作用面５４は、図７内において左側の放圧通路９２を介して圧力除荷されており、従って、ただ第１の作用面５３を介してだけオイル圧力によって負荷された段ピストン５１が、この段ピストンの調節ばね５２でもって、オイルポンプ圧力調節を、その際に、比較的に高い圧力調節レベルにおいて実施する。それに対して、この電磁弁１０２の電気的な制御でもって、付加的に、同様にこの段ピストン５１の第２の作用面５４も、オイル圧力によって負荷され、従ってその場合に、オイルポンプ１０３圧力調節は、降下された圧力調節レベルにおいて行われる。
【００３３】
本発明によるオイル圧力の調節は、吐出オイルの温度に依存した粘性に、全く依存しない。従って、自動車燃焼エンジンのオイルポンプのための提案された圧力調節によって、
暖機状態のエンジンだけでなく、特に、エンジン始動の後まだ低いオイル温度でもっての日毎の冷間作動においても、効果的に低下された燃料消費量が、かなり降下されたオイルポンプ駆動出力によって達成される。
【００３４】
本発明の領域内において、多数の変形、例えば上記の実施形態の異なる実施形態から成る個別の特徴が、お互いの間で、及び／または、公知の技術と共に組み合わされることも可能である。同様に例えば制御装置が、上述された構成要素の多数を有していることも可能である。
【図面の簡単な説明】
【００３５】
【図１】その外側歯車オイルポンプの調節ピストンの、電磁的に可変な力の負荷装置を有する、吐出量調節可能な外側歯車オイルポンプの図である。
【図２】ステップモータによる、その外側歯車オイルポンプの調節ピストンの、可変な力の負荷装置を有する、吐出量調節可能な外側歯車オイルポンプの図である。
【図３】遠心力で操作される切替ピストンによる、段付けされた調節ピストンの、可変な、液圧的な力の負荷装置を有する、吐出量調節可能な外側歯車オイルポンプの図である。
【図４】電磁弁、及び／または、回転数に依存するオイル圧力負荷装置による、その外側歯車オイルポンプの調節ピストンの、可変な力の負荷装置を有する、吐出量調節可能な外側歯車オイルポンプの図である。
【図５】図３に対する変形としての、更に別の実施例の図である。
【図６】図２に対する別の実施例である。
【図７】調節ユニットの、１つの有利な実施例である。
【図１】
2005526204.tif 000003
【図２】
2005526204.tif 000004
【図３】
2005526204.tif 000005
【図４】
2005526204.tif 000006
【図５】
2005526204.tif 000007
【図６】
2005526204.tif 000008
【図７】
2005526204.tif 000009
【手続補正書】
【提出日】平成16年4月14日(2004.4.14)
【手続補正１】
【補正対象書類名】特許請求の範囲
【補正対象項目名】全文
【補正方法】変更
【補正の内容】
【特許請求の範囲】
【請求項１】
吐出量調節装置、および、オイル圧力によって負荷されたピストンユニット（８、９）を有する、
燃焼エンジンの潤滑オイル供給のための液圧ポンプ、特にオイルポンプの圧力調節のための装置であって、
このピストンユニットに対して、オイル圧力に対して反対に作用する状態で、ピストンばね（１１）、並びに、このピストンばね（１１）を補助する調節圧力が、この吐出量調節装置の制御のために作用する様式の上記装置において、
調節圧力が、調節ピストン（１４、５１、８０）によって形成され、
この調節ピストンが、
永続的に作用するオイル圧力のための作用面（１５、５３、９０）、
このオイル圧力に対して反対に作用する調節ばね（１７、５２）、並びに、
この調節ピストン（１４、５１、８０）に対して作用する付加力をこの調節圧力の調整のために備えている制御装置（２３、２９、５６、７１、７３、１０２）、
を有していることを特徴とする装置。
【請求項２】
制御装置の形成に関して、以下の特徴、
ａ）調節ピストン（１４、８０）の制御装置が、調節ピストン（１４、８０）に対して作用するアーマチュア（２４）を有するマグネットコイル（２３）でもって形成されている；
ｂ）調節ピストン（１４、８０）の制御装置が、調節ばね（１７）のばね当接部（３０）を位置調節するためのステップモータ（２９）でもって形成されている；
ｃ）制御装置が、切替ピストン（５６）および切替ピストンばね（５７）を有する回転数に依存する遠心力弁でもって形成されている；
ｄ）制御装置が、電磁弁（７１、１０２）でもって形成されている；
ｅ）制御装置（２３、２９、７１、１０２）が、
この制御装置が、電気的なシステム故障の場合に、オイル圧力を、自動的に最も高い調節圧力段へと上昇させるように形成されている；
ｆ）制御装置が、螺旋状の溝部（７３）でもって形成されている；
の内の少なくとも１つの特徴が設けられていることを特徴とする請求項１に記載の液圧ポンプの圧力調節のための装置。
【請求項３】
調節ピストン（１４、８０）の形成に関して、以下の特徴、
ａ）調節ピストンが、制御装置（５６、７１、７３、１０２）を介して、オイル圧力でもって負荷可能、または圧力除荷可能である、第２の作用面（５４）を有する段ピストン（５１）として形成されている；
ｂ）段付けされた調節ピストンが、多段式に形成されており、且つ、適当に多段式に形成された制御装置によって、オイル圧力でもって負荷可能であるように構成されている；
の内の少なくとも１つの特徴が設けられていることを特徴とする請求項１または２に記載の液圧ポンプの圧力調節のための装置。
【請求項４】
切替ピストン（５６）は、この切替ピストンの軸線でもって、半径方向の遠心力方向に対して角度ずれを有していることを特徴とする請求項１から３のいずれか一つに記載の液圧ポンプの圧力調節のための装置。
【請求項５】
切替ピストン（５６）、並びに切替ピストンばね（５７）は、吐出歯車（５５）の内部に、１つの吐出歯内への部分的な入り込みでもって配設されていることを特徴とする請求項１から４のいずれか一つに記載の液圧ポンプの圧力調節のための装置。
【請求項６】
切替ピストン（５６）は、案内ピン（５９）を切替ピストンばね（５７）の半径方向案内のために有していることを特徴とする請求項１から５のいずれか一つに記載の液圧ポンプの圧力調節のための装置。
【請求項７】
調節ピストン（１４、５１、８０）の作用面（１５、５３、５４、９０）を圧力負荷するためのオイル圧力は、オイルフィルター（２５、８９）の後ろで分岐されるように構成されていることを特徴とする請求項１から６のいずれか一つに記載の液圧ポンプの圧力調節のための装置。
【請求項８】
オイルポンプ調節装置（２３、２９、７１、８２、１０２）の電気的な構成要素は、オイルチャンバーの外側に配設されており、且つ、液圧的な、導管（８７。９１）を介して、オイルポンプ（７８、８６、１０３）と結合状態にあることを特徴とする請求項１から７のいずれか一つに記載の液圧ポンプの圧力調節のための装置。
【請求項９】
調節ピストン（１４、８０）は、ステップモータ（２９）、もしくは、マグネットコイル（２３）及び／または電磁弁（１０２）と共に、共通のハウジング（８１、１０１）内において、調節ユニット（８２、１００）へとまとめられていることを特徴とする請求項１から８のいずれか一つに記載の液圧ポンプの圧力調節のための装置。
【国際調査報告】
2005526204.tif 000010
2005526204.tif 000011
2005526204.tif 000012
2005526204.tif 000013
2005526204.tif 000014
2005526204.tif 000015